(57)【要約】【課題】印刷絵柄に応じて強弱が決定され、この強弱を競って遊ぶゲームカードと、このゲームカードに剥離可能に接着され、かつ、剥離した後再接着可能な印刷フィルムとで構成される印刷フィルム付きゲームカードにおいて、時間的経過によってその接着能力の低下が生じることがなく、したがってその他の原因で使用不能となるまで、長期間にわたって使用できる印刷フィルムとこのフィルムを接着したゲームカードを提供すること。【解決手段】印刷フィルム２の接着剤層２３として、オレフィン系エラストマーから構成される自己接着性接着剤を使用する。その表面にごみ等が付着しにくく、また、基材フィルムに対する接着力が強いからゲームカード表面に接着剤が取られたり、荒れたりすることがないため、時間的経過によってその接着能力の低下が生じない。【選択図】図２
2007007973.tif 000002
【特許請求の範囲】
【請求項１】
印刷絵柄が施され、その印刷絵柄に応じて強弱が決定され、この強弱を競って遊ぶゲームカードと、このゲームカードに剥離可能に接着され、かつ、剥離した後再接着可能な印刷フィルムとで構成される印刷フィルム付きゲームカードにおいて、
前記印刷フィルムが、基材フィルムと、この基材フィルムの片面又は両面に設けられた印刷絵柄と、前記ゲームカードに接着する自己接着性接着剤層とを具備することを特徴とする印刷フィルム付きゲームカード。
【請求項２】
前記自己接着性接着剤が、オレフィン系エラストマーから構成されていることを特徴とする請求項１記載の印刷フィルム付きゲームカード。
【請求項３】
前記基材フィルムが透明フィルムであることを特徴とする請求項１又は２記載の印刷フィルム付きゲームカード。
【請求項４】
前記基材フィルムが、金属蒸着層を備えることを特徴とする請求項１又は２記載の印刷フィルム付きゲームカード。
【請求項５】
前記印刷フィルムが、カードの強さを高めることを特徴とする請求項１〜４のいずれかに記載の印刷フィルム付きゲームカード。
【請求項６】
前記印刷フィルムが、カードの装飾性を高めることを特徴とする請求項１〜５のいずれかに記載のゲームカード。
【請求項７】
印刷絵柄を有し、印刷絵柄に応じて強弱が決定され、この強弱を競って遊ぶゲームカードに剥離可能に接着され、かつ、剥離した後再接着可能な印刷フィルムであって、
基材フィルムと、この基材フィルムの片面又は両面に設けられた印刷絵柄と、前記ゲームカードに接着する自己接着性接着剤層とを具備することを特徴とする印刷フィルム。
【発明の詳細な説明】
【技術分野】
【０００１】
本発明は、ゲームカードに関する。このゲームカードにはキャラクター等の印刷絵柄が施されており、この印刷絵柄に応じてカードの強弱が決定する、そして、対戦相手同士が手持ちのカードを出し合い、それぞれのカードの強弱によって勝敗を決定するゲームに使用される。
【背景技術】
【０００２】
このようなゲームカード及びカードゲームは周知であり、そのカードの高い装飾性にも起因して、若年層に広く愛好されている。
【０００３】
このゲームにおいては、そのカードに印刷された絵柄に応じて強さが決定され、したがって、カードによって勝敗の行方をある程度予想することができる。このため、その強さを攻撃力と防衛力に区分してこれら各力の総合で勝敗を決したり、複数のカードの組み合わせでその強さを変化させたり、このカードの上に印刷フィルムを貼り合わせることによってその強さを変化させたりして、ゲームを複雑にして勝敗の予想を困難とし、ゲームに深みを与え、かつ、面白いものにする等の工夫も加えられている。
【０００４】
ところで、カード上に張り合わされる前記印刷フィルムは、一旦カードに貼着した後、剥離して再度別のカードに貼着することができるものでなくてはならない。仮に一旦貼着した印刷フィルムが剥離不可能であったとすると、最初からこの印刷フィルムの絵柄を有するカードを有している場合と変わりがなく、ゲームに深みを与えることがないからである。
【０００５】
従来、このような印刷フィルムには、粘着剤が適用されてきた。そして、このため、粘着剤層を有する前記印刷フィルムは、一旦カードに貼着した後剥離することが可能であり、また、剥離した後別のカードに貼着することが可能であった。そして、このように印刷フィルムが繰り返して使用できることから、このゲームの人気は一層高まりつつある。
【発明の開示】
【発明が解決しようとする課題】
【０００６】
ところで、前記粘着剤は、その表面に粘つきを有することから、接着と剥離とを繰り返すうちにごみ等が付着し易く、ごみの付着によって粘着性を失って貼着できなくなる。また、接着と剥離とを繰り返すことによって粘着剤の一部がゲームカード表面に取られたり、あるいは粘着剤層表面が荒れて、接着能力を失うこともある。そして、接着能力の低下した前記印刷フィルムはカードに接着することができないから、その機能と価値とを失うという結果になった。
【０００７】
そこで、本発明は、繰り返しの使用によってその接着能力の低下が生じることがなく、したがってその他の原因で使用不能となるまで、長期間にわたって使用できる印刷フィルムとこのフィルムを接着したゲームカードを提供することを目的とする。
【課題を解決するための手段】
【０００８】
すなわち、請求項１に係る発明は、印刷絵柄が施され、その印刷絵柄に応じて強弱が決定され、この強弱を競って遊ぶゲームカードと、このゲームカードに剥離可能に接着され、かつ、剥離した後再接着可能な印刷フィルムとで構成される印刷フィルム付きゲームカードにおいて、
前記印刷フィルムが、基材フィルムと、この基材フィルムの片面又は両面に設けられた
印刷絵柄と、前記ゲームカードに接着する自己接着性接着剤層とを具備することを特徴とする印刷フィルム付きゲームカードである。
【０００９】
自己接着性の接着剤は、その表面にごみ等が付着しにくく、また、基材フィルムに対する接着力が強いからゲームカード表面に接着剤が取られたり、荒れたりすることがない。このため、時間的経過に伴う接着能力の低下がなく、その他の原因で使用不能となるまで、長期間にわたって繰り返して使用できる。
【００１０】
このような自己接着性接着剤としては、例えば、オレフィン系エラストマーから成る接着剤が使用できる。請求項２に記載の発明は、このような理由でなされたもので、すなわち、前記自己接着性接着剤が、オレフィン系エラストマーから構成されていることを特徴とする請求項１記載の印刷フィルム付きゲームカードである。
【００１１】
また、前記基材フィルムが透明である場合には、印刷フィルムの透明部位を通してゲームカードの印刷絵柄を見ることができる。このため、印刷フィルムの絵柄とゲームカードの絵柄の双方の組み合わせによってその強さを決定することができ、ゲームを一層複雑で、波乱に富んだものとすることができる。また、基材シートが金属蒸着層を有する場合には、ゲームカードの装飾性を高めて、そのゲームを華麗なものとすることが可能である。
【００１２】
請求項３及び請求項４に係る発明は、このような理由でなされたもので、請求項３に係る発明は、前記基材フィルムが透明フィルムであることを特徴とする請求項１又は２記載の印刷フィルム付きゲームカードであり、請求項４に記載の発明は、前記基材フィルムが、金属蒸着層を備えることを特徴とする請求項１又は２記載の印刷フィルム付きゲームカードである。
【００１３】
次に、請求項５及び請求項６に記載の発明は、前記印刷フィルムの貼着によってゲームカードの付加価値を高めたものである。
【００１４】
すなわち、請求項５に記載の発明は、前記印刷フィルムが、カードの強さを高めることを特徴とする請求項１〜４のいずれかに記載の印刷フィルム付きゲームカードであり、他方、請求項６に記載の発明は、前記印刷フィルムが、カードの装飾性を高めることを特徴とする請求項１〜５のいずれかに記載のゲームカードである。
【００１５】
また、請求項７に記載の発明は、請求項１に係るゲームカードに適用される印刷フィルムに関するものであり、すなわち、請求項７に記載の発明は、印刷絵柄を有し、印刷絵柄に応じて強弱が決定され、この強弱を競って遊ぶゲームカードに剥離可能に接着され、かつ、剥離した後再接着可能な印刷フィルムであって、
基材フィルムと、この基材フィルムの片面又は両面に設けられた印刷絵柄と、前記ゲームカードに接着する自己接着性接着剤層とを具備することを特徴とする印刷フィルムである。
【発明の効果】
【００１６】
本発明によれば、ゲームカードに接着される印刷フィルムが、自己接着性接着剤層を具備するため、繰り返し使用に伴う接着能力の低下がなく、長期間にわたって繰り返して使用できる。そして、このため、カードゲームを一層冒険的で興趣に富んだものとすることが可能となる。
【発明を実施するための最良の形態】
【００１７】
本発明に係るゲームカードは、カード基体に印刷絵柄を施したものである。このようなゲームカードは周知のものであって良いが、例えば、プラスチックシートをカード基体と
して、この表面に印刷絵柄を施したものが利用できる。また、この印刷絵柄の上に透明な保護フィルムを貼り合わせたものも使用できる。
【００１８】
プラスチックシートとしては、ポリエステル、ポリ塩化ビニル等が利用できるまた、カード基体として、紙を使用することもできるが、この場合には、その表面を平滑なプラスチックで被覆することが望ましい。前述の自己接着性接着剤は、平滑なプラスチック表面に好適に接着するからである。プラスチックの被覆は、例えば、プラスチックフィルムを紙に張り合わせることで可能である。また、プラスチックを紙上に塗布することで被覆することもできる。
【００１９】
印刷絵柄としては、キャラクターが例示できる。また、併せてその強さを示す数値や記号を印刷することも可能である。また、装飾効果を高めるため、装飾模様を印刷することも可能である。
【００２０】
また、本発明に係る印刷フィルムは、基材フィルムと、この基材フィルムの片面又は両面に設けられた印刷絵柄と、前記カード本体に接着する自己接着性接着剤層とを具備するものである。
【００２１】
基材フィルムは、単一のフィルムから構成されたものであっても良いが、多層構造のフィルムを基材フィルムとして利用することもできる。単一のフィルムとしては、例えば、ポリエステルフィルム、ポリアミドフィルム等のプラスチックフィルムが例示できる。また、多層構造のフィルムとしては、プラスチックフィルムにアルミニウムなどの金属蒸着層を施したものが例示できる。
【００２２】
基材フィルムは透明なフィルムを使用することもできる。透明な基材フィルムを使用する場合には、その一部に印刷絵柄のない透明部位を設け、この透明部位を通してゲームカードの印刷絵柄を透視可能とすることが望ましい。図面の図１は、この際の様子を示すもので、図１Ａはゲームカードの平面図である。このゲームカードには、人物の印刷絵柄が施されている。また、図１Ｂは、印刷フィルムの平面図で、基材フィルムとして透明なプラスチックフィルムを使用し、木の葉状の印刷絵柄が施されている。そして、この印刷フィルムをゲームカードに貼り合わせると、図１Ｃに示すように、舞い散る木の葉の中に立つ人物の絵柄が現れる。
【００２３】
基材フィルムとして透明なフィルムを使用する場合には、その表裏のいずれに印刷絵柄を施しても良い。
【００２４】
また、基材フィルムとして不透明なフィルムを使用することもできる。例えば、金属蒸着層を有するフィルムである。この場合には、印刷フィルムをゲームカードに貼り合わせたとき、ゲームカードの印刷絵柄は印刷フィルムに隠れて、これを見ることはできない。その代わりに、全面に華麗な金属光沢を有する装飾性の高いゲームカードを構成することが可能となる。
【００２５】
また、本発明に係る自己接着性接着剤としては、主成分がポリマーから成る接着剤であって、粘着付与剤や可塑剤等の低分子量の添加物を含有することなく、その主成分自体が、常温で接着力を有するものが使用できる。このような自己接着性接着剤としては、オレフィン系エラストマーが利用できる。例えば、パナック（株）からＧＰＢ５０−Ｅ２３Ａ０４の製品名で市販されているフィルムは、オレフィン系エラストマーから構成される自己接着性接着剤をポリエステルフィルムに塗布し、この自己接着性接着剤層に剥離容易に透明な剥離フィルムを貼り合わせたフィルムである。
【００２６】
そして、基材フィルムに印刷絵柄を施し、前記自己接着性接着剤を塗布して本発明に係る印刷フィルムを製造することが可能である。また、ＧＰＢ５０−Ｅ２３Ａ０４のように、自己接着性接着剤の塗布された市販のフィルムに印刷絵柄を施すことによって製造することも可能である。
【００２７】
そして、この印刷フィルムをゲームカードの印刷面に貼着することにより、本発明に係る印刷フィルム付きゲームカードを製造することができる。なお、ＧＰＢ５０−Ｅ２３Ａ０４のように、剥離フィルムを有するフィルムを使用する場合には、この剥離フィルムを除去することなく、そのまま、ゲームカードに接着することができる。この場合には、印刷フィルムとゲームカードとは、自己接着性接着剤層と剥離フィルムの間で剥離する。また、剥離フィルムは、ゲームカードの印刷層を保護する保護層の役割を果たすことが可能である。
【００２８】
図２はこの状態を示す断面説明図である。図２において、１１はカード基材であり、その表面に印刷層１２が施されている。
【００２９】
次に、２１は基材フィルムである。この基材フィルム２１には自己接着性接着剤層２３が施されており、この自己接着性接着剤層２３上に剥離容易に剥離フィルム３が貼りあわされている。また、基材フィルム２１の上面には印刷層２２が施されている。
【００３０】
そして、印刷層１２と剥離フィルム３とを接着剤４にて貼り合わせることによって、図２に示す印刷フィルム付きゲームカードを製造することができる。この例では、ゲームカード１は、カード基材１１、印刷層１２、接着剤４及び剥離フィルム３で構成され、他方、印刷フィルム２は、基材フィルム２１、印刷層１２及び自己接着性接着剤層２３で構成されている。すなわち、ゲームカード１と印刷フィルム２とは、剥離フィルム３と自己接着性接着剤層２３の境界面で剥離することができ、剥離した印刷フィルム２は別のゲームカードに接着することができる。この剥離と接着とは、その他の原因で印刷フィルム２が使用不可能になるまで、繰り返すことが可能である。
【図面の簡単な説明】
【００３１】
【図１】図１Ａはゲームカードの平面図、図１Ｂは印刷フィルムの平面図、図１Ｃは印刷フィルムをゲームカードに貼り合わせた印刷フィルム付きゲームカードの平面図である。
【図２】図２は印刷フィルム付きゲームカードの断面図である。
【符号の説明】
【００３２】
１…ゲームカード
１１…カード基体
１２…印刷層
２…印刷フィルム
２１…基材フィルム
２２…印刷層
２３…自己接着性接着剤層
３…剥離フィルム
【図１】
2007007973.tif 000003
【図２】
2007007973.tif 000004